(57)【特許請求の範囲】
【請求項１】
モータ本体の後端に設けられたブラケットから端子が突出し、この端子にターミナルが電気的に接続されてなるモータにおいて、
前記ターミナルは、前記ブラケットの後端面に当接される当接部と、前記当接部に連結され、前記端子に溶接されると共に、前記後端面から離間する溶接部とを有し、前記溶接部は、前記後端面に対向する面が前記後端面から離間していることを特徴とするモータ。
【請求項２】
前記溶接部は、前記モータ本体の前端から突出した回転軸の軸線に対し略直交する方向に延在する平坦面を有し、
前記端子は、前記回転軸の前記軸線に対し略直交する方向に延在する先端面を有し、前記端子の前記先端面と前記溶接部の前記平坦面とは、同一平面上に配置され、前記溶接部の前記平坦面から前記端子の前記先端面に渡って溶接が施されていることを特徴とする請求項１に記載のモータ。
【請求項３】
前記ターミナルは、一枚の平板の折り曲げにより成形され、
前記当接部は、前記ブラケットの前記後端面に沿って延在する第１の当接部及び第２の当接部からなり、前記溶接部は、前記第１の当接部と前記第２の当接部との間で、前記第１の当接部と前記第２の当接部とを架け渡すように前記第１の当接部及び前記第２の当接部と平行に延在することを特徴とする請求項１又は２に記載のモータ。
【発明の詳細な説明】
【技術分野】
【０００１】
本発明は、特に、携帯通信機器（例えば携帯電話）に内蔵されて、呼び出し機能の振動発生源として利用される小型のモータに関するものである。
【背景技術】
【０００２】
従来、このような分野の技術として、特開２００１−５４２５９号公報がある。この公報に記載されたモータは、モータ本体の後端に固定されたエンドプレート（ブラケット）と、エンドプレートに取り付けられたスプリング導電体（ターミナル）と、エンドプレートから突出するブラシ構成体（端子）とを備える。そして、端子の突出する突出部とスプリング導電体とを半田付けすることで、両者の電気的な接続を確実に確保している。しかしながら、この文献に記載のモータでは、半田付けが手作業により行われているので、コストの削減を阻害している。また、半田ゴテの高熱により半田フラックスの飛び散りが発生し、仕上がりの美観性を損なう問題点があった。
【０００３】
上記の問題点を解決するため、半田付けに代えてスポット溶接の方法が挙げられる。例えば、特開平１１−１３６９０１号公報に記載されたモータは、モータの整流子に接触するブラシと、このブラシに電気的に接続された端子板（端子）と、端子板に給電する通電端子（ターミナル）と、樹脂材料からなるブラケットとを備える。そして、通電端子と端子板とをスポット溶接により接続することで、半田付けの工数を削減し、作業性の向上が図られている。
【特許文献１】特開２００１−５４２５９号公報
【特許文献２】特開平１１−１３６９０１号公報
【発明の開示】
【発明が解決しようとする課題】
【０００４】
しかしながら、前述した従来のモータには、次のような課題が存在している。すなわち、ターミナルが直接にブラケットに取り付けられているため、端子とターミナルとの溶接時に発生した高熱がターミナルを経由し樹脂製のブラケットに直接伝わる。その結果、樹脂が溶けてブラケットが変形し、更に高熱により樹脂内に残留したガスが膨張し、ターミナルに亀裂を生じさせるといった問題点がある。
【０００５】
本発明は、コストの削減を図りつつ、溶接時の高熱によるブラケット及びターミナルへの影響を抑制するモータを提供することを目的とする。
【課題を解決するための手段】
【０００６】
本発明は、モータ本体の後端に設けられたブラケットから端子が突出し、この端子にターミナルが電気的に接続されてなるモータにおいて、
ターミナルは、ブラケットの後端面に当接される当接部と、この当接部に連結され、端子に溶接されると共に、後端面から離間する溶接部とを有し、この溶接部は、後端面に対向する面が後端面から離間していることを特徴とする。
【０００７】
本発明に係るモータにあっては、ターミナルの溶接部が端子に溶接されると共に、ブラケットの後端面から離間しているので、端子とターミナルとの溶接時に発生した高熱が溶接部を経由しブラケットに直接伝わることを防止することができる。従って、高熱によるブラケット及びターミナルへの影響を確実に抑制することができる。また、端子とターミナルとを半田付けする必要性がなくなるので、コストの削減を図ることができる。更に、高熱の影響を気にせず溶接作業を行うことが可能となるので、作業性を向上することができる。
【０００８】
本発明に係るモータにおいて、溶接部は、モータ本体の前端から突出した回転軸の軸線に対し略直交する方向に延在する平坦面を有し、端子は、回転軸の軸線に対し略直交する方向に延在する先端面を有し、端子の先端面と溶接部の平坦面とは、同一平面上に配置され、溶接部の平坦面から端子の先端面に渡って溶接が施されていることが好適である。
この場合にあっては、端子の先端面と溶接部の平坦面とが同一平面上に配置されているので、両者の間に段差が生じない。従って、溶接部の平坦面から端子の先端面に渡ってレーザ光を照射する際に、レーザ光の焦点がずれることなく、平坦面及び先端面に均一に照射することができる。その結果、溶接作業を確実且つ容易に行うことができると共に、溶接強度を確実に確保することができる。
【０００９】
本発明に係るモータにおいて、ターミナルは、一枚の平板の折り曲げにより成形され、当接部は、ブラケットの後端面に沿って延在する第１の当接部及び第２の当接部からなり、溶接部は、第１の当接部と第２の当接部との間で、第１の当接部と第２の当接部とを架け渡すように第１の当接部及び第２の当接部と平行に延在することが好適である。
この場合にあっては、これらの当接部によって溶接部が安定して保持されることとなる。従って、端子の先端面と溶接部の平坦面との位置合わせ等の溶接作業を容易に行うことができ、溶接部の耐振性と耐衝撃性を高める効果が期待できる。
【発明の効果】
【００１０】
本発明によれば、コストの削減を図りつつ、溶接時の高熱によるブラケット及びターミナルへの影響を抑制するモータを提供することができる。
【発明を実施するための最良の形態】
【００１１】
以下、図面を参照しつつ本発明に係るモータの好適な実施形態について詳細に説明する。
【００１２】
図１〜図３に示すように、振動モータ１は、コアードモータからなると共に、直径約４ｍｍで長さ約１０ｍｍの円筒形状の金属製ハウジング部２を有するモータ本体Ａを備え、小型化が図られている。モータ本体Ａにおいて、ハウジング部２の内壁面には、Ｎ，Ｓ極をもった永久磁石からなる固定子が固定され、ハウジング部２の内部には、鉄芯にコイルが巻かれた回転子が収容されている。この回転子の中心には、軸受で支持された回転軸３が固定され、この回転軸３の先端部分は、モータ本体Ａの前端側で突出している。
【００１３】
さらに、ハウジング部２内において、回転軸３の後端には整流子が固定され、この整流子には、左右一対のブラシが摺動接触している。各ブラシには、回転軸３の軸線方向に延在する左右一対の板状の端子４が固定されている。図４に示すように、対向して平行な状態で配置された各端子４の先端は、モータ本体Ａの後端に設けられた樹脂製のブラケット５から突出し、その先端面４ａは、回転軸３の軸線に対し略直交する方向に延在するように形成されている。また、外側に位置する側面４ｂは、回転軸３の軸線に沿って延在し、後述する溶接部９の壁面９ｃに密着に当接するため、滑らかに形成されている。
【００１４】
ブラケット５の本体部５Ａは、ハウジング部２の後端の開口に蓋をするようにハウジング部２に固定され、回転軸３の軸線に対し略直交する方向に延在する後端面５Ａａを有する。また、ブラケット５には、後述するターミナル８の弾性脚部１１を収容するための台座部７が本体部５Ａに一体的に成形され、この台座部７は、モータ本体Ａのハウジング部２の表面に沿って後端側から前方に向かって突出している。
【００１５】
さらに、回転軸３の先端部分には、略半円柱状の分銅６が加締め又は圧入によって固定され、分銅６の重心は、回転軸３の軸線に対して偏心している。従って、回転軸３の回転力で分銅６を高速回転させることによって、ハウジング部２自体を高速で振動させることができる。このような分銅付き振動モータ１は、例えば、携帯用小型無線呼出器や携帯電話等の機器の筺体を振動させて、利用者に着信を呼びかける場合に利用される。
【００１６】
この振動モータ１は、モータ本体Ａを上から押さえ付けるようにして携帯電話等などの回路基板(図示せず)に押し付けて固定するタイプである。そこで、モータ本体Ａには、端子４と回路基板の所定の電気接点との電気的接続をワンタッチで可能ならしめるためのターミナル８が設けられている。各ターミナル８は、それぞれの端子４に対応して設けられ、外部からの所定の電圧をブラシに印加させるためのものであり、左右対称な形状をなしている。
【００１７】
図５〜図７に示すように、各ターミナル８は、一枚の薄いバネ板の折り曲げにより成形され、ブラケット５の後端面５Ａａに当接される当接部１０と、端子４に溶接されると共に後端面５Ａａから離間する溶接部９とを有する。当接部１０は、後端面５Ａａに沿うように延在する第１の当接部１０Ａと第２の当接部１０Ｂからなり、第１の当接部１０Ａと第２の当接部１０Ｂとは、同一直線上に配置され、それぞれ後端面５Ａａの上部と下部とで後端面５Ａａに当接している。
【００１８】
溶接部９は、第１の当接部１０Ａと第２の当接部１０Ｂとの間で、第１の当接部１０Ａ及び第２の当接部１０Ｂを架け渡すように、ブラケット５の後端面５Ａａから外方に張り出している。この溶接部９は、第１の当接部１０Ａ及び第２の当接部１０Ｂと平行に延在し、回転軸３の軸線に対し略直交する方向に延在する平坦面９ａを有する。そして、平坦面９ａと端子４の先端面４ａとは、同一平面上に配置され、溶接部９の平坦面９ａから端子４の先端面４ａに渡って溶接が施されている。
【００１９】
また、図４及び図７に示すように、溶接部９には、矩形状の切欠き部９ｂが形成されている。切欠き部９ｂを形成する壁面９ｃは、回転軸３の軸線に対し略直交する方向に延在している。そして、端子４の側面４ｂをこの壁面９ｃに密着に当接させた状態で、端子４はターミナル８に溶接されている。
【００２０】
さらに、ターミナル８には、第２の当接部１０Ｂの下端に連結された弾性脚部１１が設けられている。この弾性脚部１１は、第２の当接部１０Ｂに対して直角に折り曲げられて回転軸３の軸線に対して平行に延在する第１の脚部１１ａと、第１の脚部１１ａの前端をＵ字状に折り返した部位Ｂを介して第１の脚部１１ａに対し略平行に延在する第２の脚部１１ｂと、第２の脚部１１ｂの後端から外方に向け突出するように折り曲げられた第３の脚部１１ｃとを有する。さらに、第３の脚部１１ｃは、略Ｖ字状に形成され、その頂部には、表面にＡｕメッキ処理がなされた接地部１４が膨出して形成され、このような接地部１４によって、回路基板(図示せず)の所定の電気接点との電気的接続を確実にしている。
【００２１】
このような形成の弾性脚部１１は、樹脂製のブラケット５の本体部５Ａと一体をなす台座部７に形成された断面コ字状のスリット７ａ内にそれぞれ収容されている。ブラケット５の後方から矢印Ｐ(図２参照)方向に弾性脚部１１をブラケット５へ装着すると、各スリット７ａ内に弾性脚部１１の第１及び第２の脚部１１ａ，１１ｂが入り込む。このとき、スリット７ａを形成する壁面に、第１の脚部１１ａから突出するクサビ部１５が食い込み、弾性脚部１１が台座部７に固定されている。さらに、弾性脚部１１の第３の脚部１１ｃのみを、台座部７から露出させる結果として、破損し易い弾性脚部１１全体を露出させることなく、電気的接合に必要な部分の目視が容易になり、機器への組み込み作業性の向上が図られる。
【００２２】
このように、ターミナル８の接地部１４は、モータ本体Ａの後端側に配置されると共に、回転軸３の軸線に対して略直交する方向に弾性力を有することになる。また、折り曲げ形成させたターミナル８の採用により、簡単な構造で安価にターミナル８を形成することができ、結果的に製造コストの低減が図られることになる。
【００２３】
以上のように構成された振動モータ１にあっては、ターミナル８の溶接部９がブラケット５の後端面５Ａａから離間しているので、溶接部９と端子４との溶接時に発生する高熱が溶接部９を経由しブラケット５に直接伝わることを防止することができる。従って、従来のように、溶接時の高熱がブラケット５に直接伝わる原因でブラケット５の樹脂材料が溶けてブラケット５が変形する現象、更にブラケット５の樹脂材料内に残留したガスが高熱で膨張しターミナル８に亀裂を生じさせる現象の発生を十分に抑制し、高熱によるブラケット５及びターミナル８への影響を確実に防止することができる。
【００２４】
その結果、高熱の影響を気にせず溶接作業を行うことが可能となるので、作業性を向上することができる。更に、端子４とターミナル８とを溶接で電気的に接続することで、従来の半田付け作業を省くことができ、コストの削減を図ることができる。
【００２５】
また、端子４の先端面４ａと溶接部９の平坦面９ａとが同一平面上に配置されているので、両者の間に段差が生じない。従って、溶接部９の平坦面９ａから端子４の先端面４ａに渡ってレーザ光を照射する際に、レーザ光の焦点がずれることなく、平坦面９ａ及び先端面４ａに均一に照射することができる。その結果、溶接作業を確実且つ容易に行うことができると共に、溶接強度を確実に確保することができる。
【００２６】
また、ターミナル８の当接部１０は、ブラケット５の後端面５Ａａに沿って延在する第１の当接部１０Ａ及び第２の当接部１０Ｂからなり、ターミナル８の溶接部９は、第１及び第２の当接部１０Ａ，１０Ｂを架け渡しているので、溶接部９はこれらの当接部によって安定して保持されることとなる。このため、端子４の先端面４ａと溶接部９の平坦面９ａとの位置合わせ等の溶接作業を容易に行うことができ、更に溶接部９の耐振性と耐衝撃性を高める効果が期待できる。
【００２７】
本発明は、上記の実施形態に限定されるものではない。例えば、ターミナル８の第１の当接部１０Ａ及び第２の当接部１０Ｂとは、同一直線上に配置されているが、これに限らず、ブラケット５の後端面５Ａａの形状に応じて階段状に形成されてもよい。
【図面の簡単な説明】
【００２８】
【図１】本発明に係るモータの一実施形態を示す斜視図である。
【図２】図１に示したモータの側面図である。
【図３】図１に示したモータの背面図である。
【図４】ターミナルをブラケットに装着する前の状態を示す斜視図である。
【図５】本発明に係るモータに適用されるターミナルの側面図である。
【図６】本発明に係るモータに適用されるターミナルの底面図である。
【図７】本発明に係るモータに適用されるターミナルの背面図である。
【符号の説明】
【００２９】
１…振動モータ、３…回転軸、４…端子、４ａ…先端面、５…ブラケット、５Ａａ…後端面、８…ターミナル、９…溶接部、９ａ…平坦面、１０…当接部、１０Ａ…第１の当接部、１０Ｂ…第２の当接部、Ａ…モータ本体。
【図１】
0005184025.tif 000002
【図２】
0005184025.tif 000003
【図３】
0005184025.tif 000004
【図４】
0005184025.tif 000005
【図５】
0005184025.tif 000006
【図６】
0005184025.tif 000007
【図７】
0005184025.tif 000008